(57)【要約】      （修正有）【課題】一度開栓したペットボトル等の容器でも、容易に自己の容器であると判別可能なピルファープルーフ用キャップ及びキャップ付き容器を提供する。【解決手段】円板状の天板部２と、天板部の周縁部から垂下された円筒状の周壁部３と、周壁部下端に上部が接続され互いに周方向の間にスリット部４ｂを空けて設けられた複数のブリッジ部４ａと、複数のブリッジ部の下部に接続された円環状のピルファープルーフ部４とを備え、天板部上及び周壁部の外周面上の少なくとも一方に、周方向に並んで互いに異なる複数の識別マークＭ１が表示され、ピルファープルーフ部の外周面の一部に、特定用マークＭ２が表示されている。【選択図】図１
0003226968.tif 000002
【実用新案登録請求の範囲】
【請求項１】
円板状の天板部と、
前記天板部の周縁部から垂下された円筒状の周壁部と、
前記周壁部下端に上部が接続され互いに周方向の間にスリット部を空けて設けられた複数のブリッジ部と、
前記複数のブリッジ部の下部に接続された円環状のピルファープルーフ部とを備え、
前記天板部上及び前記周壁部の外周面上の少なくとも一方に、周方向に並んで互いに異なる複数の識別マークが表示され、
前記ピルファープルーフ部の外周面の一部に、特定用マークが表示されていることを特徴とするピルファープルーフ用キャップ。
【請求項２】
請求項１に記載のピルファープルーフ用キャップにおいて、
前記複数の識別マークが、数字，文字，記号，模様及び絵のうちいずれか１種又は２種以上の組み合わせであることを特徴とするピルファープルーフ用キャップ。
【請求項３】
請求項１又は２に記載のピルファープルーフ用キャップにおいて、
前記複数の識別マークが、互いに異なる色であることを特徴とするピルファープルーフ用キャップ。
【請求項４】
請求項１から３のいずれか一項に記載のピルファープルーフ用キャップにおいて、
前記ピルファープルーフ部の外周面に複数の溝及び凸部の少なくとも一方が形成されていることを特徴とするピルファープルーフ用キャップ。
【請求項５】
容器本体の口部にキャップを装着したキャップ付き容器であって、
前記キャップが、請求項１から４のいずれか一項に記載のピルファープルーフ用キャップであることを特徴とするキャップ付き容器。
【考案の詳細な説明】
【技術分野】
【０００１】
本考案は、ペットボトル等の容器の口部に装着されるピルファープルーフ用キャップ及びキャップ付き容器である。
【背景技術】
【０００２】
一般的に、ペットボトル等の容器を密栓するキャップは、円板状の天板部と、天板部の周縁部から垂下された円筒状の周壁部と、周壁部下端に互いに周方向にスリット部を空けて上部が接続された複数のブリッジ部と、複数のブリッジ部の下部に接続された円環状のピルファープルーフ部とを備えたピルファープルーフ用キャップが用いられている。
【０００３】
このピルファープルーフ用キャップは、開栓時に、容器本体の口部に形成された膨出部にピルファープルーフ部が係止されることで、複数のブリッジ部が破断してキャップ上部が外れると共にピルファープルーフ部が容器本体の口部に残り、キャップ上部を口部に再度装着しても、開栓の有無が容易に確認することが可能となるものである（例えば、特許文献１参照）。
【０００４】
また、通常、キャップの天面にはメーカー名や商品名等の表示以外に特に表示が無いが、用途に応じてシールが貼られていたり凹凸が形成されていたりしたものが知られている。例えば、特許文献２には、容器の内容物を表示する点字をキャップの天面に設けた樹脂製キャップが記載されている。
【先行技術文献】
【特許文献】
【０００５】
【特許文献１】特許第５３３５８４６号公報
【特許文献２】特開２００９−４０４９９号公報
【考案の概要】
【考案が解決しようとする課題】
【０００６】
上記従来の技術には、以下の課題が残されている。
すなわち、複数人がそれぞれ自分のペットボトルを同じテーブル等の置いた場合、一度開栓し再度キャップを装着した自分のペットボトルがどれであるか判別し難いことが多々ある。特に、同じ銘柄のペットボトルの場合、見分けが付き難く、置いた位置を正確に覚えておく必要があった。この場合でも、テーブル上で各ペットボトルの配置を変更されてしまうと自己のペットボトルの判別が困難であった。また、配置が変更されても判別できるように、自己の容器に名前を記載したり、札を付けたりすることもあるが、ペンや札が必要になると共に面倒な作業が必要であった。
【０００７】
本考案は、前述の課題に鑑みてなされたもので、一度開栓したペットボトル等の容器でも、容易に自己の容器であると判別可能なピルファープルーフ用キャップ及びキャップ付き容器を提供することを目的とする。
【課題を解決するための手段】
【０００８】
本考案は、前記課題を解決するために以下の構成を採用した。すなわち、第１の考案に係るピルファープルーフ用キャップは、円板状の天板部と、前記天板部の周縁部から垂下された円筒状の周壁部と、前記周壁部下端に上部が接続され互いに周方向の間にスリット部を空けて設けられた複数のブリッジ部と、前記複数のブリッジ部の下部に接続された円環状のピルファープルーフ部とを備え、前記天板部上及び前記周壁部の外周面上の少なくとも一方に、周方向に並んで互いに異なる複数の識別マークが表示され、前記ピルファープルーフ部の外周面の一部に、特定用マークが表示されていることを特徴とする。
【０００９】
このピルファープルーフ用キャップでは、天板部上及び周壁部の外周面上の少なくとも一方に、周方向に並んで互いに異なる複数の識別マークが表示され、ピルファープルーフ部の外周面の一部に、特定用マークが表示されているので、開栓後にキャップ上部を再装着した際、回動可能になったピルファープルーフ部を回動させ、特定用マークを自己の決めた識別マークの直下位置に合わせることで、自己の容器を判別することが可能になる。
すなわち、最初の開栓時にブリッジ部が破断することで、キャップ上部とピルファープルーフ部とが切り離されてピルファープルーフ部だけが容器本体の口部に残る。そして、再度キャップ上部を口部に装着した際、予め自己の識別マークを他者と異なる識別マークに決めておき、回動可能になったピルファープルーフ部を回動させて、特定用マークを自己の決めた識別マークの直下位置に合わせることで、自己の容器を容易に判別することができる。
【００１０】
第２の考案に係るピルファープルーフ用キャップは、第１の考案において、前記複数の識別マークが、数字，文字，記号，模様及び絵のうちいずれか１種又は２種以上の組み合わせであることを特徴とする。
すなわち、このピルファープルーフ用キャップでは、複数の識別マークが、数字，文字，記号，模様及び絵のうちいずれか１種又は２種以上の組み合わせであるので、複数人がそれぞれ互いに異なる数字，文字，記号，模様及び絵の自己の識別マークを決めることで、それぞれの容器を容易に判別することができる。
【００１１】
第３の考案に係るピルファープルーフ用キャップは、第１又は第２の考案において、前記複数の識別マークが、互いに異なる色であることを特徴とする。
すなわち、このピルファープルーフ用キャップでは、複数の識別マークが、互いに異なる色であるので、複数人がそれぞれ互いに異なる色の自己の識別マークを決めることで、それぞれの容器を容易に判別することができる。
【００１２】
第３の考案に係るピルファープルーフ用キャップは、第１から第３の考案のいずれかにおいて、前記ピルファープルーフ部の外周面に複数の溝及び凸部の少なくとも一方が形成されていることを特徴とする。
すなわち、このピルファープルーフ用キャップでは、ピルファープルーフ部の外周面に複数の溝及び凸部の少なくとも一方が形成されているので、指が溝及び凸部の少なくとも一方によって滑り難くなり、ピルファープルーフ部を回動させ易くなる。
【００１３】
第４の考案に係るキャップ付き容器は、容器本体の口部にキャップを装着したキャップ付き容器であって、前記キャップが、第１から第４の考案のいずれかのピルファープルーフ用キャップであることを特徴とする。
すなわち、このキャップ付き容器では、キャップが、第１から第４の考案のいずれかのピルファープルーフ用キャップであるので、複数人が互いに異なる自己の識別マークを決めることで、容易に自己の容器を判別でき、他者の容器と間違うことを防止可能になる。
【考案の効果】
【００１４】
本考案によれば、以下の効果を奏する。
すなわち、本考案に係るピルファープルーフ用キャップによれば、天板部上及び周壁部の外周面上の少なくとも一方に、周方向に並んで互いに異なる複数の識別マークが表示され、ピルファープルーフ部の外周面の一部に、特定用マークが表示されているので、キャップ上部の再装着時にピルファープルーフ部を回動させ、特定用マークを自己の決めた識別マークの直下位置に合わせることで、自己の容器を判別することが可能になる。
したがって、本考案のピルファープルーフ用キャップを装着したキャップ付き容器では、複数人が互いに異なる自己の識別マークを決めることで、容易に自己の容器を判別でき、他者の容器と間違うことを防止可能になる。
【図面の簡単な説明】
【００１５】
【図１】本考案に係るピルファープルーフ用キャップ及びキャップ付き容器の第１実施形態において、未開栓のキャップ付き容器を示す斜視図である。
【図２】第１実施形態において、開栓後にキャップ上部を再装着した状態のキャップ付き容器を示す斜視図である。
【図３】本考案に係るピルファープルーフ用キャップ及びキャップ付き容器の第２実施形態において、開栓後にキャップ上部を再装着した状態のキャップ付き容器を示す斜視図である。
【図４】本考案に係るピルファープルーフ用キャップ及びキャップ付き容器の第３実施形態において、開栓後にキャップ上部を再装着した状態のキャップ付き容器を示す斜視図である。
【図５】本考案に係るピルファープルーフ用キャップ及びキャップ付き容器の第４実施形態において、開栓後にキャップ上部を再装着した状態のキャップ付き容器を示す斜視図である。
【図６】本考案に係るピルファープルーフ用キャップ及びキャップ付き容器の第５実施形態において、開栓後にキャップ上部を再装着した状態のキャップ付き容器を示す斜視図である。
【考案を実施するための形態】
【００１６】
以下、本考案に係るピルファープルーフ用キャップ及びキャップ付き容器の第１実施形態を、図１及び図２を参照しながら説明する。
【００１７】
本実施形態のピルファープルーフ用キャップ１は、図１及び図２に示すように、円板状の天板部２と、天板部２の周縁部から垂下された円筒状の周壁部３と、周壁部３下端に上部が接続され互いに周方向の間にスリット部４ｂを空けて設けられた複数のブリッジ部４ａと、複数のブリッジ部４ａの下部に接続された円環状のピルファープルーフ部４とを備えている。
【００１８】
上記天板部２上及び周壁部３の外周面上の少なくとも一方には、周方向に並んで互いに異なる複数の識別マークＭ１が表示されている。なお、本実施形態では、天板部２上に識別マークＭ１が表示されている。
また、上記ピルファープルーフ部４の外周面の一部には、特定用マークＭ２が表示されている。
上記特定用マークＭ２は、例えば印刷されたドット状（黒点）の印刷によるマークや凹凸によるマーク等が採用可能である。
【００１９】
上記複数の識別マークＭ１は、数字，文字，記号，模様及び絵のうちいずれか１種又は２種以上の組み合わせである。
本実施形態の識別マークＭ１は、１〜１２の数字を天板部２の周縁部に沿って均等な間隔を空けて順番に並べて表示されている。
識別マークＭ１は、天板部２上に印刷又は凹凸で表示されている。なお、識別マークＭ１が印刷されたシール等を天板部２上に貼っても構わない。また、識別マークＭ１及び特定用マークＭ２が凹凸によるマークの場合、視覚障害者でも自己の容器を判別することが可能になる。
【００２０】
また、本実施形態のキャップ付き容器１０は、容器本体１１の口部にキャップ１を装着したキャップ付き容器であって、キャップ１が、上記ピルファープルーフ用キャップである。
キャップ付き容器１０は、例えばペットボトルであるが、アルミ缶等の他の容器を採用しても構わない。
また、本実施形態のピルファープルーフ用キャップ１は、樹脂製であるが、アルミニウム等の金属キャップでも構わない。
【００２１】
上記ピルファープルーフ部４は、容器本体１１の口部に形成された膨出部（図示略）に形成されており、最初の開栓時に、上記ブリッジ部４ａが破断することで、破断したブリッジ部４ａより上の部分はキャップ上部１Ａとして、口部から取り外し可能であると共に、ピルファープルーフ部４は、回動可能に口部に残るようになっている。
【００２２】
このように本実施形態のピルファープルーフ用キャップ１では、天板部２上又は周壁部３の外周面上に、周方向に並んで互いに異なる複数の識別マークＭ１が表示され、ピルファープルーフ部４の外周面の一部に、特定用マークＭ２が表示されているので、開栓後にキャップ上部１Ａを再装着した際、図２に示すように、回動可能になったピルファープルーフ部４を回動させ、特定用マークＭ２を自己の決めた識別マークＭ１の直下位置に合わせることで、自己の容器１０を判別することが可能になる。
【００２３】
すなわち、最初の開栓時にブリッジ部４ａが破断することで、キャップ上部１Ａとピルファープルーフ部４とが切り離されてピルファープルーフ部４だけが容器本体１１の口部に残る。そして、再度キャップ上部１Ａを口部に装着した際、予め自己の識別マークＭ１を他者と異なる識別マークＭ１に決めておき、回動可能になったピルファープルーフ部４を回動させて、特定用マークＭ２を自己の決めた識別マークＭ１の直下位置に合わせることで、自己の容器１０を容易に判別することができる。
【００２４】
また、複数の識別マークＭ１が、数字，文字，記号，模様及び絵のうちいずれか１種又は２種以上の組み合わせであるので、複数人がそれぞれ互いに異なる数字，文字，記号，模様及び絵の自己の識別マークＭ１を決めることで、それぞれの容器１０を容易に判別することができる。
したがって、本実施形態のキャップ付き容器１０では、キャップ１が、上記ピルファープルーフ用キャップであるので、複数人が互いに異なる自己の識別マークＭ１を決めることで、容易に自己の容器１０を判別でき、他者の容器１０と間違うことを防止可能になる。
【００２５】
次に、本考案に係るピルファープルーフ用キャップ及びキャップ付き容器の第２〜第５実施形態について、図３〜図６を参照して以下に説明する。なお、以下の各実施形態の説明において、上記実施形態において説明した同一の構成要素には同一の符号を付し、その説明は省略する。
【００２６】
第２実施形態と第１実施形態との異なる点は、第１実施形態では、識別マークＭ１が１〜１２の数字であるのに対し、第２実施形態のピルファープルーフ用キャップ２１及びキャップ付き容器２０では、図３に示すように、識別マークＭ１がＡ〜Ｌのアルファベットである点である。
すなわち、第２実施形態では、識別マークＭ１が、Ａ〜Ｌのアルファベットを天板部２の周縁部に沿って均等な間隔を空けて順番に並べて表示されている。
【００２７】
また、第２実施形態では、ピルファープルーフ部２４の外周面に複数の溝及び凸部の少なくとも一方２４ｄが形成されている点でも第１実施形態と異なっている。
このように第２実施形態のピルファープルーフ用キャップ２１及びキャップ付き容器２０では、アルファベットの中から自己の識別マークＭ１を決めることで、第１実施形態と同様に、それぞれの容器２０を容易に判別することができる。
また、ピルファープルーフ部２４の外周面に複数の溝及び凸部の少なくとも一方２４ｄが形成されているので、指が溝及び凸部の少なくとも一方２４ｄによって滑り難くなり、ピルファープルーフ部４を回動させ易くなる。
【００２８】
次に、第３実施形態と第１実施形態との異なる点は、第１実施形態では、識別マークＭ１が１〜１２の数字であるのに対し、第３実施形態のピルファープルーフ用キャップ３１及びキャップ付き容器３０では、図４に示すように、識別マークＭ１が互いに異なる４種類の模様及び色である点である。
すなわち、第３実施形態では、４つの識別マークＭ１として、ドット模様，格子模様，丸模様及び斜線模様が採用され、さらにドット模様は赤色，格子模様は青色，丸模様は黄色及び斜線模様は緑色に色分けされている。
【００２９】
このように第３実施形態のピルファープルーフ用キャップ３１及びキャップ付き容器３０では、４つの模様及び色の中から自己の識別マークＭ１を決めることで、それぞれの容器３０を容易に判別することができる。
【００３０】
なお、第１及び第２実施形態では、識別マークＭ１が互いに異なる１２の数字又は文字であるため、最大１２人分の容器を判別可能であるが、第３実施形態では、識別マークＭ１が互いに異なる４つの模様及び色であるため、最大４人分の容器３０を判別可能である。したがって、第３実施形態では、第１及び第２実施形態に比べて少ない人数用ではあるが、ピルファープルーフ部４の回動によって特定用マークＭ２の位置を識別マークＭ１に合わせる際に、位置ずれが多少あっても容易に判別することが可能になる。
【００３１】
次に、第４実施形態と第３実施形態との異なる点は、第３実施形態では、識別マークＭ１が互いに異なる模様及び色であるのに対し、第４実施形態のピルファープルーフ用キャップ４１及びキャップ付き容器４０では、図５に示すように、識別マークＭ１が互いに異なる記号又は図形である点である。
【００３２】
すなわち、第４実施形態では、４つの識別マークＭ１として、「○」，「□」，「×」及び「△」が採用され、天板部２上を周方向に４分割した領域に並んで表示されている。
このように第４実施形態のピルファープルーフ用キャップ４１及びキャップ付き容器４０では、４つの記号又は図形の中から自己の識別マークＭ１を決めることで、それぞれの容器４０を容易に判別することができる。
【００３３】
次に、第５実施形態と第４実施形態との異なる点は、第４実施形態では、識別マークＭ１が天板部２上だけに表示されているのに対し、第５実施形態のピルファープルーフ用キャップ５１及びキャップ付き容器５０では、図６に示すように、識別マークＭ１が周壁部３の外周面にも互いに周方向に等間隔で表示されている点である。
【００３４】
すなわち、第５実施形態では、４つの識別マークＭ１として、「○」，「□」，「×」及び「△」が周壁部３の周方向を４分割した領域に並んで表示されている。また、これらの識別マークＭ１は、天板部２上と周壁部３の外周面とで上下のマークが一致するように対応した配置とされている。
このように第５実施形態のピルファープルーフ用キャップ５１及びキャップ付き容器５０では、周壁部３の外周面に複数の識別マークＭ１が表示されているので、横方向からも識別マークＭ１を視認可能になり、より判別がし易くなる。
【００３５】
なお、本考案の技術範囲は上記各実施形態に限定されるものではなく、本考案の趣旨を逸脱しない範囲において種々の変更を加えることが可能である。
例えば、識別マークとして、数字，文字，記号，模様，色などを採用したが、キャラクター等の絵を識別マークとしても構わない。
【符号の説明】
【００３６】
１，２１，３１，４１，５１…ピルファープルーフ用キャップ、２…天板部、３…周壁部、４…ピルファープルーフ部、４ａ…ブリッジ部、４ｂ…スリット部、１０，２０，３０，４０，５０…キャップ付き容器、１１…容器本体、２４ｄ…溝及び凸部の少なくとも一方、Ｍ１…識別マーク、Ｍ２…特定用マーク
【図１】
0003226968.tif 000003
【図２】
0003226968.tif 000004
【図３】
0003226968.tif 000005
【図４】
0003226968.tif 000006
【図５】
0003226968.tif 000007
【図６】
0003226968.tif 000008